【事件の表示】
　平成　６年特許願第　２０３３４号「映画フィルムの一連の画面のフレームを識別する装置、およびその装置を含んでなる映画エンコーダ」拒絶査定不服審判事件〔平成　６年１０月１８日出願公開、特開平　６−２９２０７５、請求項の数（９）〕について、次のとおり審決する。
【結　論】
　原査定を取り消す。
　本願の発明は、特許すべきものとする。
【理　由】
１．経緯
（１）手続
　本願は、パリ条約による優先権主張（優先日：１９９３年２月１９日、（ＧＢ）グレート・ブリテン及び北部アイルランド連合王国）を伴う平成６年２月１７日の出願である。
（２）査定
　原査定の理由は、概略、下記のとおりである。
　　　　　記（査定の理由）
　請求項１に係る発明は、下記出願の願書に最初に添付した明細書又は図面に記載された発明と同一であるから、特許法第２９条の２第１項の規定により、特許を受けることができない。
　　　　　記
  特願平５−３４９５６号（特開平６−２３３１８２号）
　
２．本願発明
　本願の請求項１から請求項９までに係る各発明は、平成１５年８月２８付けの手続補正書により補正された明細書および図面の記載からみて、それぞれ、その特許請求の範囲の請求項１から請求項９までに記載したとおりのものであると認められるところ、そのうち、拒絶の対象となった請求項１に係る発明は下記のとおりである。
　　　　　記
　インタレースした画像記録においてその画像記録が引き出されたもとの映画フィルムの一連の画面のフレームを識別する装置であって、該装置は、
　画像記録を含んでいる画像のフィールドの一連の画面を受信する手段、
　各連続した一対のフィールドに対して、一対の第１および第２のフィールドからそれぞれ取り出された隣接する画像走査線間の相関を測定する手段、
　該測定したフィールド対の相関の測定値を少なくとも他の１つの隣接するフィールド対の相関の測定値と比較する手段、および
　隣接するフィールド対の相関の測定値のなかで大きな相関の測定値を有するフィールド対を、もとのフィルムのフレームから引き出されたものとして識別する手段
を含んでいることを特徴とする映画フィルムの一連の画面のフレームを識別する装置。
　
３．当審の判断
（１）先願明細書の記載
　原査定の拒絶の理由に引用された上記出願（特願平５−３４９５６号）の願書に最初に添付した明細書又は図面（以下、先願明細書という）には、以下の記載が認められる。
　　（ア）「【産業上の利用分野】本発明はコマ数逆変換装置に係り、特に映画フィルム（２４コマ）からビデオ信号（３０コマ）に変換された画像を、再び２４コマの画像に逆変換するコマ数逆変換装置に関するものであり、動画像圧縮符号化装置と併用して好適な装置を提供するものである。」（段落0001）
　　（イ）「【発明が解決しようとする課題】このように、毎秒２４コマの映画フィルムから２−３プルダウン変換によって作られた毎秒３０コマのビデオ信号を、逆変換によって再び毎秒２４コマのビデオ信号にするには、２−３プルダウンの変換の規則と編集点を正しく判定し、編集によって乱れた画像に対する自動的な処理が必要とされる。・・・本発明は、これらの逆変換作業を自動的に行なうものであり、圧縮符号化装置と併用することにより、符号化の効率改善や作業時間短縮などを可能とするコマ数逆変換装置を提供するものである。」（段落0005）
　　（ウ）「（基本的な原理）最初に、２−３プルダウンによって得られる繰り返しフレーム画像（以下、単に画像と称する）に対して、図５に示すように５種類のピクチャータイプ０〜４を割り当てる。すると、ピクチャータイプ０の画像は奇数フィールドが次の画像の奇数フィールドと共通であり、ピクチャータイプ２の画像は偶数フィールドが次の画像の偶数フィールドと共通であり、編集がない場合この５つのピクチャータイプ０〜４が単純に繰り返される。」（段落0009）
　　（エ）「そこで、本発明になるコマ数逆変換装置は、このパターン（奇数フィールドあるいは偶数フィールド共通の画像の何枚後に、奇数フィールドあるいは偶数フィールド共通の画像が現れるか）をもとに、次の画像と共通のフィールドを持った画像が現れるたびに、その２箇所間の画像に対し逆変換規則を決定し、順次逆変換を行なっていくものである。」（段落0011）
　　（オ）「共通フィールド検出手段１０により、連続した共通なフィールド（奇数フィールドあるいは偶数フィールド）を検出し、さらに、検出された２箇所の共通なフィールド（直前の共通するフィールドと次の共通するフィールド）を構成するフレーム画像の画像数間隔である距離を検出する。」（段落0012）
　　（カ）「（共通フィールドを検出する手段）最初に、共通フィールド検出手段１０について説明する。共通フィールドを検出する際の一致検出は、そのフィールド画像と次のフィールド画像の同じフィールドの輝度成分の差分の絶対値の総和ＭＡＤを用い、ＭＡＤがある閾値以下となったものについて共通フィールドと判定する。」（段落0019）
（２）先願明細書に記載された事項
　先願明細書の上記記載によれば、以下のことが認められる。
　（ａ）映画フィルム（２４コマ）からビデオ信号（３０コマ）に変換された画像を、再び２４コマの画像に逆変換するコマ数逆変換装置に関するものであり、逆変換作業を自動的に行い、圧縮符号化の効率改善や作業時間短縮などを可能とする。（記載ア、イ）
　（ｂ）逆変換は、２−３プルダウン方式で変換されたビデオ信号に現れるフレーム画像の規則性（５種類のタイプ（０〜４）を割り当てたとき、タイプ０の画像（当該奇数フィールドがその次の奇数フィールドと共通であるようなフレーム画像）の２つ後にタイプ２の画像（当該偶数フィールドがその次の偶数フィールドと共通であるようなフレーム画像）が現れ、タイプ２の画像の３つ後に再びタイプ０の画像が現れ、これを繰り返すという規則性）に基づき、必要な逆変換規則を導出する。（記載ウ、エ）
　（ｃ）そのために、共通フィールド検出手段１０により、連続した奇数フィールド（あるいは、連続した偶数フィールド）が共通する画像であるか否かを検出する。（記載オ）
　（ｄ）共通フィールド検出手段１０は、連続した奇数フィールド（あるいは、連続した偶数フィールド）の輝度成分の差分絶対値の総和を用い、総和がある閾値以下となったものについて２つのフィールドは共通すると判定する。（記載カ）
（３）対比
　本願発明と先願明細書に記載された事項とを対比する。
　（ａ）本願発明は、映画フィルムから得た画像（記録画像）の再生画像の各フィールドから元の映画フィルムのフレームを識別し回復し、記録画像を圧縮符号化（ＭＰＥＧ等）する際に画質低下が発生しないようにするものである。
　先願明細書は、映画フィルム画像から変換されたビデオ信号画像を、再び２４コマの映画フィルム画像に逆変換する装置に関し、逆変換を自動的に行い圧縮符号化の効率改善や作業時間短縮などを可能とするものである。
　対象とする装置および技術課題において両者は共通するものである。
　（ｂ）本願発明は、「各連続した一対のフィールドに対して、一対の第１および第２のフィールドからそれぞれ取り出された隣接する画像走査線間の相関を測定する手段」を備える。すなわち、相関を測定するのは「連続した一対のフィールド」に対してである。
　先願明細書では、共通フィールド検出手段１０が輝度成分の差分を求めるのは、「連続した奇数フィールド（あるいは、連続した偶数フィールド）」である。
　相関測定または差分算出の対象となる「一対のフィールド」は異なるものである。
　（ｃ）本願発明は、「測定したフィールド対の相関の測定値を少なくとも他の１つの隣接するフィールド対の相関の測定値と比較する手段」を備える。すなわち、「連続した一対のフィールド」は複数であり、それら複数の間で相関測定値を比較をする。
　先願明細書では、「連続した奇数フィールド（あるいは、連続した偶数フィールド）」は単数であり、その差分絶対値の総和を閾値と比較する。
　比較の対象は異なるものである。
　（ｄ）本願発明は、「隣接するフィールド対の相関の測定値のなかで大きな相関の測定値を有するフィールド対を、もとのフィルムのフレームから引き出されたものとして識別する手段」を備える。「連続した一対のフィールド」がもとの同じフレームから引き出されたものとして識別する。
　先願明細書では、「連続した奇数フィールド（あるいは、連続した偶数フィールド）」がもとの同じフレームから引き出されたものとして識別する。
　識別の対象となる「一対のフィールド」は異なるものである。
（４）査定は、本願発明と先願発明とは、いずれも一対のフィールドを基にその相関を求めて逆変換を行っていることに変わりはなく、従って両者は実質的に同一の発明であると判断する。
　しかし、両者の間に「一対のフィールドを基にその相関を求めて逆変換を行う」との共通性があるにしても、識別の対象となる「一対のフィールド」の採り方が異なること、採り方が異なることに伴い相関を求める仕方も異なることは前記のとおりであるから、上記判断は当を得ない。
（５）まとめ
　以上、先願明細書には、本願発明と同一であるとする発明は記載されていない。
　
４．むすび
　以上のとおりであるから、請求項１に係る発明が特許法第２９条の２第１項の規定により特許を受けることができないものであるとする原査定の理由によっては本願を拒絶することはできない。
　また、他に本願を拒絶すべき理由を発見しない。
　よって、結論のとおり審決する。